(57)【要約】【課題】  湯漏れ防止に関する構造を簡素化し、蓋体の小型化と、コストダウンを図ることができる湯沸器を提供する。【解決手段】  下部蓋体部３ａに、容器本体１内部から注口部７に湯を流動させる湯出口８を形成する。上部蓋体部３ｂに、容器本体１内部の蒸気が湯出口８から開口９ａを通して蓋体３外部へ流出させるための蒸気通路部９を形成する。この蒸気通路部９の湯出口８に対応する部位に中空部９ｂを設けて、この中空部９ｂの外周に湯出口８を開閉する弁部材１０を設け、さらに中空部９ｂの内部に蒸気通路部９の隔壁部９ｃの通孔９ｄを開閉する湯止部材１１を設ける。【選択図】図２
2015136435.tif 000002
【特許請求の範囲】
【請求項１】
上部開口と加熱源と取手とが設けられた容器本体と、前記上部開口を覆う蓋体とを備えてなる湯沸器において、
前記蓋体を、前記上部開口を覆う下部蓋体部と、この下部蓋体部に回動可能に設けられる上部蓋体部とから形成し、
前記下部蓋体部に、前記取手側に対して反対側に注口と、この注口へ容器本体の内部から湯を流出させる湯出口と、前記上部蓋体部を回動可能に支持する支持部とを設け、
前記上部蓋体部に、前記湯出口から蓋体外部へ蒸気を流す蒸気通路部を形成し、この蒸気通路部の前記湯出口に対応する部位に中空部を設け、
前記上部蓋体部の前記中空部に、前記湯出口を開閉する弁部材と、前記蒸気通路部を開閉する湯止部材とを設け、
前記蓋体内部に、前記弁部材を前記湯出口が閉鎖される方向へ付勢する付勢部材を設けたことを特徴とする湯沸器。
【請求項２】
前記上部蓋体部の前記中空部の外周に前記弁部材を設け、前記中空部の内部に前記湯止部材を設けたことを特徴とする請求項１記載の湯沸器。
【請求項３】
前記弁部材が前記中空部の外周を覆う弾性部材であることを特徴とする請求項１又は２記載の湯沸器。
【請求項４】
前記中空部が上下部分に開口を有する小室であることを特徴とする請求項１〜３いずれか１項記載の湯沸器。
【請求項５】
前記湯止部材を円錐台形状あるいは球形状としたことを特徴とする請求項１又は２記載の湯沸器。
【請求項６】
前記蓋体内部に、前記弁部材が前記湯出口を閉鎖する状態に維持するストッパー部材を設けたことを特徴とする請求項１記載の湯沸器。
【発明の詳細な説明】
【技術分野】
【０００１】
本発明は、電気ケトル，電気ポット等のように容器本体内部で湯を沸かす湯沸器に関するものである。
【背景技術】
【０００２】
電気ケトル，電気ポット等では、容器本体上部に装着される蓋体に蒸気排出通路と蒸気排出口とを設け、沸騰過程に発生する蒸気を蒸気排出口から外部へ排出させることによって、蒸気圧で容器内圧が異常に高くなったり、蒸気が異常に外部へ飛散したりすることを防止している。
【０００３】
また、不用意に容器本体が倒れて湯が注口や蒸気排出口から流出してしまい、使用者に湯が掛かってしまうこと等を防止するため、湯漏れ防止の安全手段を備えているものもある。
【０００４】
例えば、特許文献１，２では、使用者がレバー状の操作部を押下して、蓋体内に設けられた弁部材を作動させることによって湯流出路を開き、注口から湯が流出できるようにする構造になっている。この構造によって、操作部が操作されない限り弁部材が作動せず、湯沸器が倒れても注口から湯が外部へ流出することを防止することができる。
【０００５】
さらに、特許文献１，２に記載の構造では、蓋体内に形成されている蒸気排出通路に移動可能に湯止め用の部材を設け、容器本体が正常に設置されているときには、湯止め用の部材が蒸気排出通路を閉鎖しない部位に位置し、容器本体が倒れたときに、湯止め用の部材が蒸気排出通路を閉鎖する部位へ移動するようにして、湯が蒸気排出口から外部へ流出することを防止している。
【先行技術文献】
【特許文献】
【０００６】
【特許文献１】特開２０１３−２３３２２５号公報
【特許文献２】特開２０１２−５５５７７号公報
【発明の概要】
【発明が解決しようとする課題】
【０００７】
上記従来技術のように、湯沸器の安全性のためには、弁部材と湯止め用の部材との両部材を設け、注口と蒸気排出口から高温の湯が不用意に流出してしまうことを防ぐようにした構造にすることが望ましい。
【０００８】
ところが、従来技術において、弁部材と湯止め用の部材との両部材、及びそれらの支持部材や操作部材等の関連部材が、蓋体内部においてそれぞれ独立した別異の部位に設けられている。このことは比較的小型の電気製品である電気ケトル，電気ポット等の蓋体としてひとつの課題であって、蓋体をより小型化するためには、構造の簡素化と、蓋体内部の空間を有効利用する構造が望まれる。
【０００９】
本発明は、前記従来技術の課題に鑑み、湯漏れ防止に関する構造を簡素化し、蓋体の小型化と、コストダウンを図ることができる湯沸器を提供することを目的とする。
【課題を解決するための手段】
【００１０】
前記目的を達成するため、請求項１に記載の湯沸器は、上部開口と加熱源と取手とが設けられた容器本体と、前記上部開口を覆う蓋体とを備えてなる湯沸器において、前記蓋体を、前記上部開口を覆う下部蓋体部と、この下部蓋体部に回動可能に設けられる上部蓋体部とから形成し、前記下部蓋体部に、前記取手側に対して反対側に注口と、この注口へ容器本体の内部から湯を流出させる湯出口と、前記上部蓋体部を回動可能に支持する支持部とを設け、前記上部蓋体部に、前記湯出口から蓋体外部へ蒸気を流す蒸気通路部を形成し、この蒸気通路部の前記湯出口に対応する部位に中空部を設け、前記上部蓋体部の前記中空部に、前記湯出口を開閉する弁部材と、前記蒸気通路部を開閉する湯止部材とを設け、前記蓋体内部に、前記弁部材を前記湯出口が閉鎖される方向へ付勢する付勢部材を設けたことを特徴とする。
【００１１】
請求項２に記載の湯沸器は、前記上部蓋体部の前記中空部の外周に前記弁部材を設け、前記中空部の内部に前記湯止部材を設けたことを特徴とする。
【００１２】
請求項３に記載の湯沸器は、前記弁部材が前記中空部の外周を覆う弾性部材であることを特徴とする。
【００１３】
請求項４に記載の湯沸器は、前記中空部が上下部分に開口を有する小室であることを特徴とする。
【００１４】
請求項５に記載の湯沸器は、前記湯止部材を円錐台形状あるいは球形状としたことを特徴とする。
【００１５】
請求項６に記載の湯沸器は、前記蓋体内部に、前記弁部材が前記湯出口を閉鎖する状態に維持するストッパー部材を設けたことを特徴とする。
【発明の効果】
【００１６】
本発明に係る湯沸器によれば、上部蓋体部の同じ部位に、すなわち中空部に湯出口を開閉する弁部材と、蒸気通路部を開閉する湯止部材とを設けたため、湯の外部への流出を防止するための構造がコンパクトに簡素化され、組立てし易さ、蓋体の小型化、コストダウンを図ることができる。しかも、上部蓋体部を回動することによって湯を注ぐための弁部材が作動されるため、使用者による操作は従来と同様に容易に行うことができる。
【図面の簡単な説明】
【００１７】
【図１】本発明に係る湯沸器の実施形態の蓋体閉鎖時の状態を示す側面断面図である。
【図２】本実施形態における蓋体開放時の状態を示す側面断面図である。
【図３】本実施形態における蓋体の平面図である。
【図４】（ａ），（ｂ）は本実施形態における湯止部材の作動状態の説明図である。
【発明を実施するための形態】
【００１８】
以下、本発明の好適な実施形態を図面に基づいて説明する。
【００１９】
図１，図２は本発明に係る湯沸器の実施形態である電気ケトルの蓋体部分における各部材を示しており、容器本体１の上部開口２には、開口全体を覆う蓋体３が弾性パッキングなどの密閉部材４を介在して着脱可能に装着され、図１，図２において上部開口２の右側には周知の取手５が設置されている。なお、容器本体１の下部には周知のようにヒーターなどからなる加熱部（図示せず）が設置されている。
【００２０】
蓋体３は、前記上部開口２を覆う下部蓋体部３ａと上部蓋体部３ｂとから構成され、上部蓋体部３ｂは下部蓋体部３ａに設けられた支持部６に支軸６により軸支されて回動可能になっている。下部蓋体部３ａには、前記取手５の設置位置と反対側に注口部７と、この注口部７へ容器本体１内部から湯が流出するように湯出口８が形成されている。
【００２１】
上部蓋体部３ｂには、容器本体１内部の蒸気が、前記湯出口８から開口９ａを通して蓋体３の外部へ流出するように蒸気通路部９が形成され、この蒸気通路部９の前記湯出口８に対応する部位に中空部９ｂが設けられている。中空部９ｂは小室形状になっており、外周に前記湯出口８を開閉する弁部材１０が設けられ、また内方に前記蒸気通路部９を開閉する湯止部材１１が設けられている。本例では、弁部材１０として筒状パッキングなどの弾性部材を用いており、湯止部材１１として円錐台形状の部材を上下動可能に配している。なお、湯止部材１１の形状としては球形状のものなどを用いてもよい。
【００２２】
前記弁部材１０として中空部９ｂの外周に嵌着されている筒状パッキングは、下端部１０ａが前記湯出口８の上部周壁部８ａを閉鎖している。蒸気通路部９の中空部９ｂの内壁下部に突設され、かつ下端開口１２ａと上端開口１２ｂとが形成されている保持筒体１２に、湯止部材１１が上下動可能に配設されている。さらに湯止部材１１の上側に形成された蒸気通路部９の隔壁部９ｃには、上下動する湯止部材１１により開閉される通孔９ｄが形成され、湯止部材１１が下位置にあるときに通孔９ｄと開口９ａと湯出口８が連通するようになっている。
【００２３】
上部蓋体部３ｂは、下部蓋体部３ａの支持部６に軸支され、かつ蓋体３内部に配された付勢部材の圧縮バネ１３によって、使用者により上部蓋体部３ｂが回動操作されないときには、湯出口８が弁部材１０により閉鎖するように付勢されている。
【００２４】
また、上部蓋体部３ｂの上側部には側面視丁状のストッパー部材１４が摺動可能に設けられている。ストッパー部材１４は、下部蓋体部３ａの底部に立設された係止板部１５の係止孔１５ａに係脱可能になっており、付勢バネ１６により係止板部１５方向へ付勢バネ１６により付勢され、ストッパー部材１４と係止板部１５の係止を維持している。
【００２５】
図３は本実施形態の蓋体の平面図であり、外周全体が円形状をなす容器本体１の上部開口２に、下部蓋体部３ａが着脱可能に嵌着しており、蓋体３と容器本体１との係脱を可能にする公知の構成の蓋開閉ボタン１７が、その操作部１７ａが下部蓋体部３ａの一部に露呈するように横動可能に設けられている。また下部蓋体部３ａの中央を横断するように設置された上部蓋体部３ａには、蒸気通路部９の開口９ａとストッパー部材１４の操作部１４ａが設けられている。
【００２６】
図１は本実施形態の蓋体閉鎖時の状態を示しており、上部蓋体部３ｂは、圧縮バネ１３の付勢力を受けて反時計方向へ付勢されて、上部蓋体部３ｂに設けられている弁部材１０により湯出口８が閉鎖されている。このため容器本体１から湯が外部へ流出しない状態になっている。また、上部蓋体部３ｂに設けられているストッパー部材１４が、下部蓋体部３ａの係止板部１５の係止孔１５ａに係合し、かつ付勢バネ１６により係合が保持されるように付勢されているため、弁部材１０により湯出口８を閉鎖する状態が維持されている。
【００２７】
図１は通常の非使用状態であって、湯止部材１１は自重により保持筒体１２の底部に位置しており、保持筒体１２に形成されている下端開口１２ａと上端開口１２ｂとを閉鎖していない状態であって、蒸気が容器本体１から下端開口１２ａ，上端開口１２ｂ，通孔９ｄ，開口９ａを通って蓋体３の外部へ流出することができる状態になっている。このため、容器本体１の内部の湯貯部の圧力が異常上昇することない。
【００２８】
図２は容器本体１の内部の湯を注ぎ出す場合の状態を示しており、使用者がストッパー部材１４の操作部１４ａを図において右方へ移動させ、ストッパー部材１４と係止孔１５ａとの係合を解除させ、かつ上部蓋体部３ｂの右側を押下すると、上部蓋体部３ｂの右側が回動上昇する。これにより弁部材１０が湯出口８の上部周壁部８ａから離れ、湯出口８が開放される。この状態で使用者が容器本体１を注口部７側へ傾けることにより、容器本体１の内部から湯を、注口部７を経て外部へと流出することができる。
【００２９】
図２に示す状態は、上部蓋体部３ｂの右側が取手５近傍に設けられた規制部１ａと当接し、かつストッパー部材１４が係止板部１５の上端の規制部１５ｂと当接することによって維持される。
【００３０】
図４を参照して本実施形態において容器本体１が不用意に転倒したときの湯止部材の作動状態を説明する。
【００３１】
図４の（ａ）に示す状態は、図１にて説明した容器本体１の正常設置時の状態を示しており、弁部材１０により前記湯出口８が閉鎖されて閉弁状態にあり、注口部７から湯が外部へ流出しない状態である。湯の位置は保持筒体１２の下端開口１２ａより下方にあるため、湯が上端開口１２ｂ，通孔９ｄを経て開口９ａから外部へ流出することはない。
【００３２】
ここで図４の（ｂ）に示すように、湯出口８が弁部材１０により閉弁状態にあるときに、容器本体１が不用意に横転した場合、付勢バネ１６の付勢力を間接的に受けて湯出口８が閉鎖されているため（図１の状態）、注口部７から湯が外部へ流出しないが、容器本体１内部の湯が保持筒体１２の下端開口１２ａから、上端開口１２ｂ，通孔９ｄを経て開口９ａから外部へ流出することが考えられる。この際、湯止部材１１が、自重あるいは水流などにより蒸気通路部９の隔壁部９ｃの通孔９ｄまで移動して、通孔９ｄを閉鎖する。これにより、湯が通孔９ｄを経て開口９ａから外部へ流出することが防止される。
【００３３】
なお、以上説明した部材の形状，設置部位，設置数等は、本実施形態にて説明したものに限定されず、実施する態様に応じてそれぞれ適宜変更して実際に合わせたものにする必要がある。
【産業上の利用可能性】
【００３４】
本発明は、安全性が求められる家庭用の湯沸器、例えば電気ケトル，電気ポットなどに実施して有効である。
【符号の説明】
【００３５】
１  容器本体
２  上部開口
３  蓋体
３ａ  下部蓋体部
３ｂ  上部蓋体部
４  密閉部材
５  取手
６  支持部
６ａ  支軸
７  注口部
８  湯出口
９  蒸気通路部
９ａ  開口
９ｂ  中空部
９ｃ  隔壁部
９ｄ  通孔
１０  弁部材
１１  湯止部材
１２  保持筒体
１２ａ  下端開口
１２ｂ  上端開口
１３  圧縮バネ
１４  ストッパー部材
１５  係止板部
１５ａ  係止孔
１６  付勢バネ
【図１】
2015136435.tif 000003
【図２】
2015136435.tif 000004
【図３】
2015136435.tif 000005
【図４】
2015136435.tif 000006